(57)【特許請求の範囲】
【請求項１】
後部にボール受け座を備えて、ボール弁を遊嵌する弁室を軸心部に設け、該弁室の前方に連通するチップ嵌着孔を、又、弁室の後方には弁室に連通する導孔を夫々設けた継ぎ手と、継ぎ手のチップ嵌着孔にチップが、又、軸外周部にインキ収容管が夫々止着されて成る所謂インキ逆流防止機構を備えたボールペンに於いて、前記継ぎ手のチップ嵌着孔と弁室の間で軸外周部の所要箇所に弾性片が設けられ、その弾性片の前端部外面に突部が設けられて、軸外周部にインキ収容管が止着された時に弾性片の突部がインキ収容管の内壁に押圧されて軸心方向に変形し、弾性片の端部が弁室に遊嵌されたボール弁の前方向の衝接部となるように構成されたことを特徴とするボールペン。
【請求項２】
上記インキ収容管には、静的には高い粘性を有し、筆記時の先端ボールの回転で粘性が低下してインキが流出される、所謂剪断減粘性を有したインキとインキの後端にはインキの蒸発を防止する特性を備えて、インキの消耗と共に追随するフォロアを設けて成る請求項１記載のボールペン。
【発明の詳細な説明】
【０００１】
【産業上の利用分野】
本発明は、インキの逆流防止機構を備えたボールペンの改良に関する。
【０００２】
【従来の技術】
同出願人は実公平４ー５２０６７号でボールを遊嵌した弁室を設けたボールペンのインキの逆流防止機構を開示している。此のものは、合成樹脂製の口先軸でボールを遊嵌する弁室内にボールを抜出不能とする突条を所要数設けて、筆記時には突条と突条との間に形成される隙間を連通してチップにインキが流動されるように成されている。口先軸は射出成形によって得られるが、離型時に突条はアンダーカットとなる為に寸法精度出しが難しく、又、ボールの挿入で突条を損傷しない為の工夫が面倒である。又、製造時でインキ充填後に巻き込んだ気泡を脱泡する為に遠心処理されるが、その時に遠心力でボールが突条部に食い付いてボールが固定されてしまう不都合が存在する。又、従来高粘度のインキを使用した所謂油性ボールペンと繊維状の中綿にインキを内蔵させ、ボールペンチップまでインキ誘導芯を介してインキを誘導するようにした所謂水性ボールペンが知られている。夫々、幾つかの欠点を有しているが端的な欠点として、油性ボールペンはインキが高粘度が故にボテや筆記濃度が薄いという欠点がある。又、水性ボールペンはインキを内蔵させる中綿を使用するが故に部材費が掛かりコスト高になることと、インキの消費が判らないという欠点がある。又、そのような状況下で夫々の欠点を改良する目的で静的には高い粘性を示し、筆記時の先端ボールの回転で粘性が低下してインキが流出される剪断減粘性を有したインキを使用したボールペンも知られている。しかしながら、剪断減粘性を有したインキを使用したボールペンは、インキが蒸発し易い性質と、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や衝撃によりインキ漏れ（インキ収容管の後端にインキが逆流する）が生じやすい。その為に、通常はインキの後端にインキの蒸発を防止すると共に、筆記時のインキの消耗に追随して移動するが、インキの自重や衝撃に対してインキの逆流を抑制するグリース状のフォロアが設けられている。しかしながら、フォロアを設けても上向き筆記をした時にはチップの先端ボール背面のインキが無くなると、インキのヘッドが直に加わる為に顕著な逆流が生じる。又、インキ収容管の内径や長さを大きくしてインキの充填量を増やすと衝撃に対する逆流現象を支えきれない問題がある。逆流を生じると軸筒内を汚すと共に軸筒に設けた通気孔からインキが漏れて手や衣服を汚す危険がある。インキの逆流現象は油性ボールペンでも生じるが、剪断減粘性のインキを使用したボールペンは顕著に生じる。
【０００３】
【発明が解決しようとする課題】
本発明の目的は、静的には高い粘性を示し、筆記時のボールの回転で粘性が低下してインキが流出される、所謂剪断減粘性を有したインキを使用したボールペンの改良であって、ボールペンの上向き筆記や衝撃によって生じるインキの逆流防止機構で、従来の逆流防止機構の欠点や不都合を改善可能とする。
【０００４】
【課題を解決するための手段】
上記目的を達成する為に本発明のボールペンは、後部にボール受け座を備えて、ボール弁を遊嵌する弁室を軸心部に設け、該弁室の前方に連通するチップ嵌着孔を、又、弁室の後方には弁室に連通する導孔を夫々設けた継ぎ手と、継ぎ手のチップ嵌着孔にチップが、又、軸外周部にインキ収容管が夫々止着されて成る所謂インキ逆流防止機構を備えたボールペンに於いて、継ぎ手のチップ嵌着孔と弁室の間で軸外周部の所要箇所に弾性片が設けられ、軸外周部にインキ収容管が止着された時に弾性片が内孔の軸心方向に変形されて、その端部が弁室に遊嵌されたボール弁の前方向の衝接部となる。
又、インキ収容管には、静的には高い粘性を有し、筆記時の先端ボールの回転で粘性が低下してインキが流出される、所謂剪断減粘性を有したインキとインキの後端にはインキの蒸発を防止する特性を備えて、インキの消耗と共に追随するフォロアを設けて成る。
【０００５】
【実施例】
図１乃至図４に示した本発明の実施例は、前半に圧入筒部７と後半に嵌合筒部１１を有し、前側の圧入筒部７の外側面にテーパー状に複数箇所で縦リブ８が形成され、又、嵌合筒部１１にインキ収容管４が固着されて継ぎ手３が設けられている。又、圧入筒部７先端のチップ嵌着孔１０には先端ボールを抱持したチップ５が後端側から圧入されている。
【０００６】
継ぎ手３は弾性変形可能な合成樹脂により一体成形で構成されており、上記チップ嵌着孔１０に連通して後方に弁室１２が設けられている。弁室１２の後部には円錐状のボール受け座１３が設けられている。又、ボール受け座１３の後方には弁室１２と連通する導孔１３ａが形成されている。又、弁室１２は、継ぎ手３のチップ嵌着孔１０と弁室１２の間で軸外周部（嵌合筒部１１）の所要箇所に切り窓１５ｃを穿設して後方に向かう片持ち張りの弾性片１５が設けられている。又、弾性片１５の前端部外面には前面に適宜斜面を有した突部１５ｂが設けられている。後述するが、軸外周部にインキ収容管４が止着された時に弾性片１５が内孔の軸心方向に変形されて、その端部１５ａが弁室１２に遊嵌されたボール弁１４の前方向の衝接部となる。
【０００７】
又、継ぎ手３の圧入筒部７の後端には鍔部３ａが設けられ、鍔部３ａの後方には嵌合筒部１１が延設されている。嵌合筒部１１の外周には筒状のインキ収容管４がその先端を鍔部３ａの後端に当接して圧入固着され、インキ収容管４の内径部が継ぎ手３の導孔１３ａに連通する。その時、弾性片１５の突部１５ｂがインキ収容管４の内壁に押圧されて軸心方向に変形し、端部１５ａが予め弁室内に遊嵌されたボール弁１４の前方向の衝接部となる。又、インキ収容管４内には静的には高い粘性を有し、筆記時の先端ボールの回転で粘性が低下してインキが流出可能となる剪断減粘性を有したインキ１９が充填され、更にインキ１９の後端にインキの蒸発を防止すると共に、インキの消耗と共にインキ面に接触して追随して移動可能なグリース状のフォロア２０が充填されている。尚、インキ収納管４はインキの蒸発を抑制する例えば透明のＰＰ樹脂成形品等が使用される。
【０００８】
次に、軸筒１の先端から継ぎ手３にチップ５とインキを充填したインキ収容管４を固着した筆記部を挿入して、軸部６の前面に継ぎ手３の鍔部３ａの後端縁を衝合させて、上記圧入筒部７の縦リブ８を口金２の内段部９に食いつき状に衝合せしめた状態で口金２を軸筒１の軸部６に螺着させている。又、軸筒１の適宜位置で軸筒１の内孔部に連通する通気孔が穿設されるか、又は軸筒１の後端に圧入固着された尾栓１８に軸筒内と連通する通気孔が設けられる。（図示せず）又、軸筒１はインキの消費量が判るように透明な樹脂成形品が使用される。
【０００９】
【作用】
ところでチップ５を下向きにした筆記状態に於いて、ボール弁１４は弾性片１５の端部１５ａに衝接し、弾性片と弾性片との間に形成される隙間を通じてインキがチップ内に流入可能となされる。又、インキは静的には高い粘性を示しているが、チップ５の先端ボールの回転で粘性が低下してインキが流出され、ボテが無く濃度の高い筆記が可能となる。又、端部１５ａによって形成される衝接部は従来例の突条と異なりボール弁の挿入による突条の変形や成形時の離型による制約を受けないのでインキ充填後の遠心処理に全く問題が無い。
【００１０】
又、チップ５を上向きにした状態に於いて、ボール弁１４は弁室１２のボール受け座１３に位置して導孔１３ａを密閉するので、上向きで筆記されてチップの先端ボール背面のインキがなくなっても、インキにヘッドが掛かり逆流することがない。又、実施例ではチップ５が継ぎ手３の圧入筒部７のチップ嵌着孔１０に圧入された上、縦リブ８が口金２の内段部９に食いつき状に衝合するので、チップ５が口金２に対してガタ止めされる。
【００１１】
【発明の効果】
本発明のボールペンの構成及び作用は以上の如くであり、チップとインキ収容管を連通する中間部に弁室を設けて、弁室内に遊嵌するボール弁により上向き筆記でインキ収容部と弁室との間を密閉するようにしたのでインキが逆流して軸筒内や手、衣服等を汚す事故が防止可能となる。又、従来例のように弁室にボール弁を抜出防止するアンダーカットの突条と異なり、確実な衝接部が形成されるので、従来例のような寸法精度上やボール挿入時の問題もなく、インキ充填時の気泡を脱泡する際の遠心でボールが食いつく問題も解決される。
【図面の簡単な説明】
【図１】本発明の実施例であるボールペンの全体を示す縦断面図で、一部半断面で示されている。
【図２】本発明の実施例であるボールペンの前方部を拡大した縦断面図で、一部非断面で示されている。
【図３】本発明の実施例であるボールペンの後方部を拡大した縦断面図である。
【図４】本発明に使用される継ぎ手の断面図である。
【符号の説明】
１  軸筒
１ａ  段部
１ｂ  係止溝
１ｃ  段部
１ｄ  係止溝
２  口金
３  継ぎ手
３ａ  鍔部
４  インキ収容管
５  チップ
６  軸部
７  圧入筒部
８  縦リブ
９  内段部
１０  チップ嵌着孔
１１  嵌合筒部
１２  弁室
１３  ボール受け座
１３ａ  導孔
１４  ボール弁
１５  弾性片
１５ａ  端部
１５ｂ  突部
１５ｃ  切り窓
１６  キャップ
１６ａ  係止突部
１６ｂ  係止突部
１６ｃ  端部
１７  クリップ
１８  尾栓
１９  インキ
２０  フォロア
２１  フォロア棒
【図１】
0003724885.tif 000002
【図２】
0003724885.tif 000003
【図３】
0003724885.tif 000004
【図４】
0003724885.tif 000005